(57)【要約】【課題】  透明成分を含む印刷データが入力された場合に、高速な印刷処理を実現するとともに、精密な出力結果を得る。【解決手段】  透明成分を含む画像データに基づいて描画される各種オブジェクトを解析する解析手段１４−３と、解析された二以上のオブジェクトの描画範囲に重複部があるか否かを判断する重なり判断手段１４−４と、重なり判断手段１４−４により重複部があると判断された場合に、この重複部と、解析されたオブジェクトから重複部を差し引いた非重複部とを切り分ける切り分け手段１４−５と、切り分けられた重複部におけるオブジェクトを色合成した色合成オブジェクトを生成する色合成手段１４−６と、切り分け手段１４−５により切り分けられた非重複部のオブジェクトと、色合成手段１４−６により生成された色合成オブジェクトとに基づいて出力画像を生成する画像生成手段１４−８とを備えた。【選択図】  図１
2005324425.tif 000002
【特許請求の範囲】
【請求項１】
透明成分を含む画像データに基づいて描画される各種オブジェクトを解析する解析手段と、
解析された二以上の前記オブジェクトの描画範囲に重複部があるか否かを判断する重なり判断手段と、
前記重なり判断手段により重複部があると判断された場合に、この重複部と、この重複部を差し引いた非重複部とを切り分ける切り分け手段と、
前記切り分け手段により切り分けられた重複部におけるオブジェクトを色合成して色合成オブジェクトを生成する色合成手段と、
前記切り分け手段により切り分けられた非重複部のオブジェクトと、前記色合成手段により生成された色合成オブジェクトとに基づいて出力画像を生成する画像生成手段とを備えた
ことを特徴とする画像形成装置。
【請求項２】
請求項１に記載の画像形成装置において、
前記切り分け手段により切り分けられた非重複部のオブジェクトと、前記色合成手段により生成された色合成オブジェクトとを登録したオブジェクト管理テーブルを記憶するテーブル記憶手段を備え、
前記解析手段により新規オブジェクトが解析された場合に、
前記重なり判断手段は、前記新規オブジェクトと、前記テーブル記憶手段に記憶されているオブジェクトとの描画範囲に重複部があるか否かを判断し、
前記テーブル記憶手段は、前記新規オブジェクトの解析に応じて切り分けられた非重複部のオブジェクトと、前記色合成手段により生成された色合成オブジェクトとを登録したオブジェクト管理テーブルを新規オブジェクト管理テーブルとして記憶し、
前記画像生成手段は、前記新規オブジェクト管理テーブルに基づいて出力画像を生成する
ことを特徴とする画像形成装置。
【請求項３】
請求項２に記載の画像形成装置において、
前記重なり判断手段は、前記新規オブジェクトにおける前記非重複部が存在する場合にその非重複部を新たな新規オブジェクトとし、この新たな新規オブジェクトと前記新規オブジェクト管理テーブル内のまだ重なり判断のされていないオブジェクトとの描画範囲に重複部があるか否かを判断する
ことを特徴とする画像形成装置。
【請求項４】
請求項２又は３に記載の画像形成装置において、
前記切り分け手段により切り分けられた非重複部に、前記解析手段により解析された新規オブジェクトにおける前記非重複部が存在するか否かを判断する非重なり判断手段を備え、
前記テーブル記憶手段は、前記非重なり判断手段により前記非重複部が存在しないと判断された場合に、まだ前記新規オブジェクトとの重なりを判断されていない前記オブジェクト管理テーブル内のオブジェクトを前記新規オブジェクト管理テーブルへ移行する
ことを特徴とする画像形成装置。
【請求項５】
請求項１〜４のいずれか一項に記載の画像形成装置において、
前記切り分け手段により切り分けられた重複部におけるオブジェクトに基づいて複数のオブジェクト情報を作成し保持する複合オブジェクトを作成する複合オブジェクト作成手段を備え、
前記画像生成手段は、前記複合オブジェクトに基づいて前記出力画像を生成する
ことを特徴とする画像形成装置。
【請求項６】
請求項５のいずれか一項に記載の画像形成装置において、
前記複合オブジェクト作成手段は、前記切り分け手段により切り分けられた重複部におけるオブジェクトにテキストオブジェクトが含まれる場合に、前記複合オブジェクトを作成する
ことを特徴とする画像形成装置。
【請求項７】
請求項１〜６のいずれか一項に記載の画像形成装置において、
前記テーブル記憶手段に記憶されているオブジェクトをもとに透明度の概念を持たない任意のＰＤＬへ変換するＰＤＬ変換手段を備え、
前記画像処理手段は、前記変換された任意のＰＤＬに基づいて出力画像を生成する
ことを特徴とする画像形成装置。
【請求項８】
透明成分を含む画像データに基づいて描画される各種オブジェクトを解析する解析ステップと、
解析された二以上の前記オブジェクトの描画範囲に重複部があるか否かを判断する重なり判断ステップと、
前記重なり判断ステップで重複部があると判断された場合に、この重複部と、この重複部を差し引いた非重複部とを切り分ける切り分けステップと、
前記切り分けステップで切り分けられた重複部におけるオブジェクトを色合成して色合成オブジェクトを生成する色合成ステップと、
前記切り分けステップで切り分けられた非重複部のオブジェクトと、前記色合成ステップで生成された色合成オブジェクトとに基づいて出力画像を生成する画像生成ステップとを
画像形成装置に実行させることを特徴とする画像形成装置の制御プログラム。
【発明の詳細な説明】
【技術分野】
【０００１】
本発明は、画像形成装置及びその制御プログラムに関し、より詳しくは、透明成分を含む画像データに基づく出力処理を行う画像形成装置及びその制御プログラムに関する。
【背景技術】
【０００２】
従来、プリンタ，コピー機（複写機），ファクシミリ，複合装置（マルチファンクションペリフェラル（ＭＦＰ））などに代表される画像形成装置は、ホストコンピュータからＰＤＬ（Ｐａｇｅ−Ｄｅｓｃｒｉｐｔｉｏｎ  Ｌａｎｇｕａｇｅ）などのプリンタ制御コードが入力されると、このプリンタ制御コードを解析して、ベクター，イメージ，テキストからなる各オブジェクトの描画情報に分類していた。そして、画像形成装置は、分類した各オブジェクトの描画情報に基づいて実際に印刷処理を行うためのドットイメージデータを生成し、これをエンジン部に送ることにより印刷用紙への出力処理を行っていた（例えば、特許文献１参照。）。
【０００３】
また、従来の画像形成装置は、分類した描画情報の中に透明成分を含むオブジェクトが存在する場合、そのページ内のすべてのオブジェクト（ベクター，イメージ，テキスト）を各オブジェクトの描画情報に基づいてドットイメージデータに変換し、透明成分を含むオブジェクトの描画範囲が重なる部分に関してピクセル単位で色合成処理を行うことにより、一つのドットイメージデータからなる透明度の概念を持たない画像フォーマット及びＰＤＬを得ていた。
【０００４】
図１４は、従来の画像形成装置において透明成分を含む印刷データの画像処理の概念図である。
図１４において、図１４（ａ）は、画像形成装置に入力された透明成分を含む印刷データ、図１４（ｂ）は、印刷データ内のコマンドを解析し、分類された各オブジェクト（ベクター，イメージ，テキスト）の描画情報、図１４（ｃ）は、すべてのオブジェクトを同解像度のドットイメージデータに変換し、重複部分についてピクセル単位で色合成の処理をして得られた一つのイメージオブジェクトを示している。
【特許文献１】特開２００１−２７０１７２号公報（第４−５頁、第２図）
【発明の開示】
【発明が解決しようとする課題】
【０００５】
しかしながら、上述したように、従来の画像形成装置によれば、透明成分を含むプリンタ制御コードに基づいて描画される出力画像は、すべて一旦ドットイメージデータに変換しているので、画像データサイズが非常に大きくなり、装置内のメモリの空き容量が圧迫されるといった問題があった。
さらに、出力画像を滑らかに描画させようとすれば、すべて各オブジェクトをドットイメージデータに変換する際に高解像度にしなければならず、これにより画像データサイズが一層大きくなるといった問題があった。
また、画像データサイズが大きくなることにより、処理速度も必然的に遅くなるという問題もあった。
【０００６】
本発明は、以上のような問題を解決するためになされたものであり、透明成分を含む印刷データが入力された場合に、各オブジェクトの描画情報をドットイメージデータに変換することなく、各描画情報を保持したオブジェクトを用いることにより、高速な印刷処理を実現するとともに、精密な出力結果の得られる画像形成装置及びその制御プログラムの提供を目的とする。
【課題を解決するための手段】
【０００７】
上記目的を達成するため、本発明の画像形成装置は、透明成分を含む画像データに基づいて描画される各種オブジェクトを解析する解析手段と、解析された二以上のオブジェクトの描画範囲に重複部があるか否かを判断する重なり判断手段と、重なり判断手段により重複部があると判断された場合に、この重複部と、この重複部を差し引いた非重複部とを切り分ける切り分け手段と、切り分け手段により切り分けられた重複部におけるオブジェクトを色合成して色合成オブジェクトを生成する色合成手段と、切り分け手段により切り分けられた非重複部のオブジェクトと、色合成手段により生成された色合成オブジェクトとに基づいて出力画像を生成する画像生成手段とを備えた構成としてある。
【０００８】
画像形成装置をこのような構成にすれば、重なり判断手段が、解析手段により解析された二以上のオブジェクトの描画範囲に重複部があるか否かを判断するため、重複部があると判断された場合には、切り分け手段は、重複部と、解析されたオブジェクトから重複部を差し引いた非重複部とを切り分けることができる。したがって、色合成手段は、重複部として切り分けられた範囲についてのみ色合成した色合成オブジェクトを生成することができ、画像生成手段は、非重複部のオブジェクトと、色合成オブジェクトとに基づいて出力画像を生成することができる。
すなわち、本発明によれば、色合成処理を行う対象がオブジェクトの重複部に限られているため、従来のように、すべての画像データを一旦ドットイメージデータに変換する必要がないため、画像データサイズを最小限に抑えることができ、装置内のメモリの空き容量を確保することができるとともに、高速な印刷処理の実現を可能としている。また、オブジェクトの重複部に関しては色合成処理を施しているため、精密な出力結果を得ることができる。
【０００９】
また、本発明の画像形成装置は、切り分け手段により切り分けられた非重複部のオブジェクトと、色合成手段により生成された色合成オブジェクトとを登録したオブジェクト管理テーブルを記憶するテーブル記憶手段を備え、解析手段により新規オブジェクトが解析された場合に、重なり判断手段は、規オブジェクトと、テーブル記憶手段に記憶されているオブジェクトとの描画範囲に重複部があるか否かを判断し、テーブル記憶手段は、新規オブジェクトの解析に応じて切り分けられた非重複部のオブジェクトと、色合成手段により生成された色合成オブジェクトとを登録したオブジェクト管理テーブルを新規オブジェクト管理テーブルとして記憶し、画像生成手段は、新規オブジェクト管理テーブルに基づいて出力画像を生成する構成としてある。
【００１０】
画像形成装置をこのような構成にすれば、テーブル記憶手段が、切り分け手段により切り分けられた非重複部のオブジェクトと、色合成手段により生成された色合成オブジェクトとを登録したオブジェクト管理テーブルを記憶しているため、解析手段により新規オブジェクトが解析された場合に、重なり判断手段は、この新規オブジェクトと、テーブル記憶手段に記憶されているオブジェクトとの描画範囲に重複部があるか否かを判断することができる。また、テーブル記憶手段は新規オブジェクトの解析に応じて、切り分け手段により切り分けられた非重複部のオブジェクトと、色合成手段により生成された色合成オブジェクトとを登録した新規オブジェクト管理テーブルを記憶するため、画像生成手段は、新規オブジェクト管理テーブルに基づいて出力画像を生成することができる。
このため、解析された新規オブジェクトとテーブル内の複数のオブジェクトとの重なりを判断することができ、複数のオブジェクトとの間においても最小限の色合成処理により出力画像を得ることができる。
【００１１】
また、本発明の画像形成装置は、重なり判断手段は、新規オブジェクトにおける非重複部が存在する場合にその非重複部を新たな新規オブジェクトとし、この新たな新規オブジェクトと新規オブジェクト管理テーブル内のまだ重なり判断のされていないオブジェクトとの描画範囲に重複部があるか否かを判断する構成としてある。
【００１２】
画像形成装置をこのような構成にすれば、非重なり判断手段は、切り分け手段により切り分けられた非重複部に、新規オブジェクトにおける非重複部が存在するか否かを判断するため、すなわち、解析された新規オブジェクトの描画範囲が、対比対象となるテーブル内オブジェクトの描画範囲内にすべて収まるか否かを判断するため、重なり判断手段は、非重複部が存在すると判断された場合に、その新規オブジェクトにおける非重複部を新たな新規オブジェクトとし、この新たな新規オブジェクトと新規オブジェクト管理テーブル内のオブジェクトとの描画範囲に重複部があるか否かを判断することができる。
このため、重なり判断手段が、新規オブジェクトとして解析手段により解析されたオブジェクトと、テーブル内の複数のオブジェクトとを順に重なり判断する場合には、非重複部に新規オブジェクトにおける非重複部が存在しない、すなわち、他のテーブル内オブジェクトとの描画範囲の重複部が存在する可能性のある範囲についてのみ繰り返しテーブル内オブジェクトとの重なりを判断するため、必要最小限の描画範囲で重複部の判断をすることができる。
【００１３】
また、本発明の画像形成装置は、切り分け手段により切り分けられた非重複部に、解析手段により解析された新規オブジェクトにおける非重複部が存在するか否かを判断する非重なり判断手段を備え、テーブル記憶手段は、非重なり判断手段により非重複部が存在しないと判断された場合に、まだ新規オブジェクトとの重なりを判断されていないオブジェクト管理テーブル内のオブジェクトを新規オブジェクト管理テーブルへ移行する構成としてある。
【００１４】
画像形成装置をこのような構成にすれば、非重なり判断手段は、切り分け手段により切り分けられた非重複部に、新規オブジェクトにおける非重複部が存在するか否かを判断するため、テーブル記憶手段は、非重なり判断手段により非重複部が存在しないと判断された場合に、未だ新規オブジェクトとの重なりを判断されていないオブジェクト管理テーブル内のオブジェクトを新規オブジェクト管理テーブルへ移行することができる。
すなわち、非重複部が存在しないということは、新規オブジェクトの描画範囲は対比対象であるオブジェクト管理テーブル内のオブジェクトの描画範囲内に含まれてしまうことを意味するため、この新規オブジェクトは、他の未だ新規オブジェクトとの重なりを判断されていないオブジェクト管理テーブル内のオブジェクトとの重複部を有することはない。したがって、他の未だ新規オブジェクトとの重なりを判断されていないオブジェクトとの重なり判断をする必要はなく、オブジェクト管理テーブル内のオブジェクトを、そのまま新規オブジェクト管理テーブルに移行させることができる。
【００１５】
また、本発明の画像形成装置は、切り分け手段により切り分けられた重複部におけるオブジェクトに基づいて複数のオブジェクト情報を作成し保持する複合オブジェクトを作成する複合オブジェクト作成手段を備え、画像生成手段は、複合オブジェクトに基づいて出力画像を生成する構成としてある。
【００１６】
画像形成装置をこのような構成にすれば、複合オブジェクト作成手段が、複数のオブジェクト情報を保持することのできる複合オブジェクトを作成することができるので、透明度の含まれるオブジェクトに基づく印字をする際に、イメージ画像に変換することなく、オブジェクト情報をそのまま利用して処理することができる。このため、高速な印刷処理が実現できるとともに、精密な出力結果を得ることができる。
【００１７】
また、本発明の画像形成装置は、複合オブジェクト作成手段は、切り分け手段により切り分けられた重複部におけるオブジェクトにテキストオブジェクトが含まれる場合に、複合オブジェクトを作成する構成としてある。
【００１８】
画像形成装置をこのような構成にすれば、複数のオブジェクトを保持することが可能な複合オブジェクトが作成されるため、この複合オブジェクトにテキストオブジェクト自身も保持しておくことができる。
例えば、ベクターオブジェクト同士が重なる場合はベクターオブジェクトを生成し、ベクターオブジェクトとイメージオブジェクトとが重なる場合はイメージオブジェクトを生成することを考慮すると、テキストオブジェクトが重なる場合、フォント情報からベクター情報に変換してベクターオブジェクトとして扱うことや、テキストオブジェクトを仮想領域に一旦描画することで、イメージ情報に変換してイメージオブジェクトとして扱うこともできる。
【００１９】
ところが、前者においては、フォントをベクターに変換することにより保持しなければならない座標情報や描画オペレータ情報が膨大になるデメリットがあり、フォントオブジェクトとして保持した方が情報量を大幅に削減できる。
一方、後者においては、一旦イメージに落とすため、低解像度で落とした場合、文字描画が劣化し、また、高解像度で落とした場合、イメージ情報のデータ量が膨大になるデメリットがある。
これらのことから、テキストオブジェクトの重なりの場合、テキストオブジェクト自身も保持しておいた方がメリットが大きいため、本発明においては、複数のオブジェクトを保持することが可能な複合オブジェクトを作成することとした。
【００２０】
また、本発明の画像形成装置は、テーブル記憶手段に記憶されているオブジェクトをもとに透明度の概念を持たない任意のＰＤＬへ変換するＰＤＬ変換手段を備え、画像処理手段は、変換された任意のＰＤＬに基づいて出力画像を生成する構成としてある。
【００２１】
画像形成装置をこのような構成にすれば、ＰＤＬ変換手段が、テーブル記憶手段に記憶されているオブジェクトをもとに透明度の概念を持たない任意のＰＤＬへ変換するため、画像処理手段では、変換された任意のＰＤＬに基づいて出力画像を生成することができ、高速、且つ、高精度な出力画像を得ることができる。
【００２２】
また、本発明の画像形成装置の制御プログラムは、透明成分を含む画像データに基づいて描画される各種オブジェクトを解析する解析ステップと、解析された二以上のオブジェクトの描画範囲に重複部があるか否かを判断する重なり判断ステップと、重なり判断ステップで重複部があると判断された場合に、この重複部と、この重複部を差し引いた非重複部とを切り分ける切り分けステップと、切り分けステップで切り分けられた重複部におけるオブジェクトを色合成して色合成オブジェクトを生成する色合成ステップと、切り分けステップで切り分けられた非重複部のオブジェクトと、色合成ステップで生成された色合成オブジェクトとに基づいて出力画像を生成する画像生成ステップとを画像形成装置に実行させる画像形成装置の制御プログラムとしてある。
【００２３】
画像形成装置の制御プログラムをこのようなプログラムにすれば、例えば、制御プログラムを記憶させた記録媒体をコンピュータを搭載した画像形成装置に直接装着して当該コンピュータに読み込ませることにより、重なり判断ステップでは、解析ステップで解析された二以上のオブジェクトの描画範囲に重複部があるか否かを判断するため、重複部があると判断された場合には、切り分けステップで、重複部と、解析されたオブジェクトから重複部を差し引いた非重複部とを切り分けることができる。したがって、色合成ステップでは、重複部として切り分けられた範囲についてのみ色合成した色合成オブジェクトを生成することができ、画像生成ステップでは、非重複部のオブジェクトと、色合成オブジェクトとに基づいて出力画像を生成することができる。
すなわち、本発明によれば、色合成処理を行う対象がオブジェクトの重複部に限られているため、従来のように、すべての画像データを一旦ドットイメージデータに変換する必要がないため、画像データサイズを最小限に抑えることができ、装置内のメモリの空き容量を確保することができるとともに、高速な印刷処理の実現を可能としている。また、オブジェクトの重複部に関しては色合成処理を施しているため、精密な出力結果を得ることができる。
【発明の効果】
【００２４】
本発明によれば、解析された二以上のオブジェクトの描画範囲に重複部があると判断された場合に、この重複部と、解析されたオブジェクトから重複部を差し引いた非重複部とを切り分ける切り分け手段と、切り分けられた重複部におけるオブジェクトを色合成した色合成オブジェクトを生成する色合成手段と、切り分けられた非重複部のオブジェクトと、生成された色合成オブジェクトとに基づいて出力画像を生成する画像生成手段とを備えたので、各オブジェクトの描画情報をドットイメージデータに変換する必要がなくなりメモリの空き容量を確保でき、且つ、高速な印刷処理を実現することができる。さらに、オブジェクトの重複部においては色合成処理を施しているため、精密な出力結果を得ることができる。
【発明を実施するための最良の形態】
【００２５】
以下、本発明の実施形態について図面を参照して説明する。
［第一実施形態］
本発明の第一実施形態に係る画像形成装置について、図１を参照して説明する。
図１は、本発明の第一実施形態に係る画像形成装置の全体構成図である。
ただし、図１に示す画像形成装置は具体例としてコピー機の構成を示しているものの、以下の実施形態に記載する画像形成装置はコピー機に限るものではなく、例えば、プリンタ，ファクシミリ，スキャナ，デジタル複合装置（マルチファンクションペリフェラル（ＭＦＰ））等を含む。
【００２６】
さらに、実施形態における画像形成装置がプリンタである場合、このプリンタには、インクジェットプリンタ，昇華型熱転写方式プリンタ，ドットインパクトプリンタ，レーザプリンタ，溶融型熱転写方式プリンタなど、各種のプリント方式を備えたプリンタが含まれる。
【００２７】
図１に示すように、画像形成装置１０は、画像読取手段１１と、入力手段１２と、表示手段１３と、制御手段１４と、ＨＤＤ１５と、印刷機構部１６とを有している。
画像読取手段１１は、例えば、スキャナ等で構成されており、原稿から画像を読み取ると、この画像情報にもとづいて画像データを生成して出力する。この出力された画像データは、制御手段１４のデータ解析部１４−３へ送られる。
なお、本画像形成装置１０が、例えば、ネットワークを介してホストコンピュータと接続されるネットワークプリンタである場合には、この画像読取手段１１をＩ／Ｏ部により構成し、ホストコンピュータから送信されてきた印刷コマンドに含まれる画像データを読み取らせることもできる。
【００２８】
入力手段１２は、画像形成装置１０で行われる印刷処理の各種設定を行う。例えば、入力手段１２は、画像の読み取りを実行させるための読取実行指令を入力操作により制御手段１４の入力制御部１４−１へ出力する。
表示手段１３は、例えば、液晶ディスプレイ装置やブラウン管ディスプレイ装置により構成されており、表示制御部１４−２から送られてきた情報データを画面表示する。
【００２９】
制御手段１４は、画像形成装置１０の機能を統括制御する装置であり、ＣＰＵ及びメモリにより構成され、入力制御部１４−１，表示制御部１４−２，データ解析部１４−３，重なり判断部１４−４，オブジェクト切り分け部１４−５，色合成部１４−６，テーブル記憶部１４−７，ＲＩＰ処理部１４−８，エンジン制御部１４−９を有している。
入力制御部１４−１は、入力手段１２で設定入力されたデータを受け取る。これにより、制御手段１４は、その設定内容に基づいて画像形成装置１０の各種機能を制御する。
表示制御部１４−２は、各種情報データを表示手段１３へ送って表示させる。
【００３０】
データ解析部（解析手段）１４−３は、透明成分を含む画像データに基づいて描画される各種オブジェクトを解析する。すなわち、データ解析部１４−３は、入力された画像データをもとに描画されるオブジェクトが、ベクターオブジェクト，イメージオブジェクト，テキストオブジェクトのいずれであるかを解析するとともに、この解析されたオブジェクトに透明度情報（α）が含まれているか否かを解析する。
図２（ａ）〜図２（ｃ）は、本第一実施形態に係る画像形成装置のデータ解析部１４−３により解析され得る各種オブジェクトの情報内容である。
図２（ａ）に示すように、ベクターオブジェクトの情報には、カラー情報，クリップ情報，パス情報，ストローク情報，ペイントモード情報，透明度情報（α）が含まれる。すなわち、データ解析部１４−３は、ベクターオブジェクトに固有の情報であるストローク情報を読み取ることにより画像データはベクターオブジェクトからなることを解析することができる。
【００３１】
同様に、図２（ｂ）に示すように、イメージオブジェクトの情報には、カラー情報，クリップ情報，イメージ情報，透明度情報（α）が含まれる。すなわち、データ解析部１４−３は、イメージオブジェクトに固有の情報であるイメージ情報を読み取ることにより画像データはイメージオブジェクトからなることを解析することができる。
さらに、図２（ｃ）に示すように、テキストオブジェクトの情報には、カラー情報，クリップ情報，フォント情報，テキスト情報，透明度情報（α）が含まれる。すなわち、データ解析部１４−３は、テキストオブジェクトに固有の情報であるテキスト情報を読み取ることにより画像データはテキストオブジェクトからなることを解析することができる。
【００３２】
また、後述するオブジェクト切り分け部１４−５により切り分けられ、さらに後述する色合成部１４−６により生成されるオブジェクトについても、上述した図２（ａ）〜図２（ｃ）に示すオブジェクト情報により特定することができるが、この場合には、ベクターオブジェクト，イメージオブジェクト，テキストオブジェクトに加え、複合オブジェクトも生成され得る。
図２（ｄ）に示すように、複合オブジェクトの情報には、クリップ情報，オブジェクト情報が含まれ、このオブジェクト情報には、ベクターオブジェクト情報，イメージオブジェクト情報，テキストオブジェクト情報を含ませることができる。なお、これらのオブジェクト情報に関しては、ネストが可能である。
【００３３】
重なり判断部（重なり判断手段）１４−４は、データ解析部１４−３により解析された二以上のオブジェクトの描画範囲に、重複部があるか否かを判断する。例えば、重なり判断部１４−４は、新規オブジェクトＡと、後述するテーブル記憶部１４−７に記憶されているオブジェクトとの描画範囲に重複部があるか否かを判断している。なお、オブジェクトの描画範囲は、各オブジェクトが保持するクリップ情報により特定されるため、重なり判断部１４−４は、各オブジェクトが保持するクリップ情報の比較によって重複部の有無を判断している。
【００３４】
また、重なり判断部１４−４は、非重なり判断部１４−４ａを有している。
この非重なり判断部１４−４ａは、オブジェクト切り分け部１４−５により切り分けられた非重複部に、データ解析部１４−３により解析された新規オブジェクトＡにおける非重複部が存在するか否かを判断する。すなわち、新規オブジェクトＡの描画範囲が、対比対象となるテーブル内のいずれかのオブジェクトの描画範囲内にすべて収まるか否かを判断している。
したがって、重なり判断部１４−４は、切り分けられた非重複部に新規オブジェクトＡにおける非重複部が存在すると非重なり判断部１４−４ａにより判断された場合に、その新規オブジェクトＡにおける非重複部を新たな新規オブジェクトＡ’とし、この新たな新規オブジェクトＡ’とテーブル記憶部１４−７内のオブジェクトとの描画範囲に重複部があるか否かを判断する。
【００３５】
オブジェクト切り分け部（切り分け手段）１４−５は、重なり判断部１４−４により重複部があると判断された場合に、この重複部と、データ解析部１４−３により解析されたオブジェクトから重複部を差し引いた非重複部とを切り分ける。
色合成部（色合成手段）１４−６は、オブジェクト切り分け部１４−５により切り分けられた重複部におけるオブジェクトを色合成した色合成オブジェクトを生成する。
【００３６】
テーブル記憶部（テーブル記憶手段）１４−７は、メモリ等により構成されており、オブジェクト切り分け部１４−５により切り分けられた非重複部のオブジェクトと、色合成部１４−６により生成された色合成オブジェクトとを登録したオブジェクト管理テーブルを記憶する。
また、データ解析部１４−３による新たな新規オブジェクトＡ’が解析されると、テーブル記憶部１４−７は、オブジェクト切り分け部１４−５により切り分けられた非重複部のオブジェクトと色合成部１４−６により生成された色合成オブジェクトとを登録したオブジェクト管理テーブルを新規オブジェクト管理テーブルとして記憶する。
さらに、テーブル記憶部１４−７は、非重なり判断部１４−４ａにより新規オブジェクトＡにおける非重複部が存在しないと判断された場合には、未だ新規オブジェクトＡとの重なりを判断されていないテーブル記憶部１４−７内のオブジェクトを新規オブジェクト管理テーブルへ移行させ、登録する。
【００３７】
画像生成部（画像生成手段）１４−８は、ＰＤＬ変換部１４−８ａと、ＲＩＰ処理部１４−８ｂとを含んでいる。
ＰＤＬ変換部１４−８ａは、テーブル記憶部１４−７に記憶されているオブジェクトをもとに透明度の概念を持たない任意のＰＤＬへ変換する。なお、新規オブジェクト管理テーブルに更新されている場合には、この新規オブジェクト管理テーブルに基づいて各種ＰＤＬに変換する。
ＲＩＰ処理部１４−８ｂは、各種ＰＤＬで記述されたデータをビットマップ（ラスタイメージ）にラスタライズ（展開）する装置である。
したがって、画像生成部１４−８は、オブジェクト切り分け部１４−５により切り分けられた非重複部のオブジェクトと、色合成部１４−６により生成された色合成オブジェクトとに基づいて出力画像を生成し、これをエンジン制御部１４−９へ出力する。また、画像生成部１４−８は、テーブル記憶部１４−７に新たな新規オブジェクト管理テーブルが記憶されている場合には、この新規オブジェクト管理テーブルに基づいて出力画像を生成し、これをエンジン制御部１４−９へ出力する。
エンジン制御部１４−９は、ＲＩＰ処理部１４−８により生成された出力画像を受けると、これに応じて印刷機構部１６を制御して出力画像に基づく印刷処理を実行させる。
【００３８】
ＨＤＤ１５は、画像形成装置１０における記憶装置であり、制御手段１４から画像情報を受け取ってこれを記憶する。なお、本第一実施形態では、画像情報等の記憶装置としてハードディスクドライブを用いているが、これに限定するものではなく、記憶装置であれば、メモリやＤＶＤなど他の装置を用いても構わない。
印刷機構部１６は、エンジン制御部１４−９により制御され、出力画像に基づいて用紙上へ印刷を行う装置である。
【００３９】
次に、本第一実施形態に係る画像形成装置において各オブジェクトの描画範囲の重複部と非重複部との切り分け処理動作について、図３を参照して説明する。
図３は、本第一実施形態に係る画像形成装置の動作を示したフローチャートである。
はじめに、データ解析部１４−３は、画像読取手段１１から入力された画像データを受けると、このデータに含まれるオブジェクト情報を読み取ることによって、この画像データにいずれのオブジェクト種別が含まれているのかを解析する（ステップＳ３０１（解析ステップ））。
すなわち、データ解析部１４−３は、オブジェクト情報にストローク情報が含まれていればベクターオブジェクト，イメージ情報が含まれていればイメージオブジェクト，テキスト情報が含まれていればテキストオブジェクトというようにオブジェクトの種別を判別する。
【００４０】
ここで、以下のステップＳ３０２〜ステップＳ３０８まではループ処理であり、「ｉ＝１〜ｎ」まで、ループ内の処理を繰り返す。なお、「ｎ」は、オブジェクト管理テーブルＴＢ［ｉ］に登録されているオブジェクトの個数を示している。
【００４１】
ステップＳ３０１でオブジェクトの種別が解析されると（この解析されたオブジェクトを新規オブジェクトＡとする）、重なり判断部１４−４は、新規オブジェクトＡとオブジェクト管理テーブルＴＢ［１］内のオブジェクトＯｂｊ［１］との描画範囲に重複部があるか否かを判断する（ステップＳ３０２（重なり判断ステップ））。
なお、このステップＳ３０１における解析の結果、複数のオブジェクトが解析された場合には、任意の優先順位にもとづいて一のオブジェクトを新規オブジェクトＡとして以下のステップを実行した後、続いて他のオブジェクトを改めて新規オブジェクトＡとして同様の処理を繰り返すものとする。
【００４２】
図４は、本第一実施形態に係る画像形成装置における新規オブジェクトとオブジェクト管理テーブルの対比を図式化したものである。
図４に示すように、重なり判断部１４−４は、ステップＳ３０２〜ステップＳ３０８を繰り返すことにより、新規オブジェクトＡとテーブルＴＢ［１］内のオブジェクトＯｂｊ［１］〜Ｏｂｊ［ｎ］との重なり判断を順に行う。
なお、本第一実施形態においては、オブジェクトＯｂｊ［１］からオブジェクトＯｂｊ［ｎ］の順番で重なりを判断するものとして説明をしているが、これに限るものではなく、所定の順序により各オブジェクトとの対比を行うものであれば、どのような順序であっても構わない。
【００４３】
まず、ステップＳ３０２で、両オブジェクトの描画範囲に重複部があると判断された場合には、オブジェクト切り分け部１４−５は、両オブジェクトの重複部からなる重複オブジェクトＢと、新規オブジェクトＡにおける非重複部からなる非重複部オブジェクトＣと、オブジェクトＯｂｊ［１］における非重複部からなる非重複部オブジェクトＤとを切り分ける（ステップＳ３０３（切り分けステップ））。
図５は、本第一実施形態に係る画像形成装置におけるオブジェクトの切り分けを図式化したものである。
【００４４】
ステップＳ３０３で、各オブジェクトが切り分けられると、色合成部１４−６は、重複部オブジェクトＢを色合成することにより色合成オブジェクトＢを生成する（ステップＳ３０４（色合成ステップ））。
ステップＳ３０４で色合成オブジェクトＢが生成されると、制御手段１４は、
テーブル記憶部１４−７内の新規オブジェクト管理テーブルＴＢ［２］へ色合成オブジェクトＢと、非重複部オブジェクトＤとを登録する（ステップＳ３０５）。なお、この新規オブジェクト管理テーブルＴＢ［２］に登録された各オブジェクトは、本画像形成装置１０に新たに画像データが入力され、新規オブジェクトＡ２が解析された場合に、その新規オブジェクトＡ２との重なりが判定される。
【００４５】
ここで、非重なり判定部１４−４ａは、オブジェクトＣが存在するか否かを判断する（ステップＳ３０６）。すなわち、新規オブジェクトＡの全描画範囲がオブジェクトＯｂｊ［１］の描画範囲内に収まるか否かを判断している。
図６は、本第一実施形態に係る画像形成装置においてオブジェクトＣが存在しない場合の各オブジェクト描画範囲を図示したものである。
ステップＳ３０６の判断の結果、オブジェクトＣが存在する場合には（図５参照）、制御手段１４は、このオブジェクトＣを新たな新規オブジェクトＡ’とする（ステップＳ３０７）。
そして、ステップＳ３０８で、「ｉ」の値をインクリメントし、改めてステップＳ３０２〜ステップＳ３０８を繰り返し、ステップＳ３０８における「ｉ」の値が「ｉ＝ｎ」となったとき、そのときの新規オブジェクトをＴＢ［２］へ登録して処理を終了する。
【００４６】
一方、ステップＳ３０２で、両オブジェクトの描画範囲に重複部がないと判断された場合には、新規オブジェクト管理テーブルＴＢ［２］へこの重複部のないオブジェクトＯｂｊ［１］を登録し（ステップＳ３１０）、ステップＳ３０８へ進む。
また、ステップＳ３０６の判断の結果、オブジェクトＣが存在しない場合には（図６参照）、制御手段１４は、オブジェクト管理テーブルＴＢ［１］内のオブジェクトＯｂｊ［１］〜オブジェクトＯｂｊ［Ｎ］をすべて新規オブジェクト管理テーブルＴＢ［２］へ移行する。
【００４７】
以上の処理により、テーブル記憶部１４−７には、画像形成装置１０に入力された各オブジェクトの重複部、および非重複部を切り分けた複数のオブジェクトからなるオブジェクト管理テーブルを記憶させることができる。
【００４８】
次に、各オブジェクトの種別に応じて、オブジェクト切り分け部１４−５，色合成部１４−６により生成される重複部のオブジェクト情報について、より詳細に説明する。
図７は、本第一実施形態に係る画像形成装置におけるベクターオブジェクトＡと、ベクターオブジェクトＢとの重なり処理に関する概念図である。
図７において、オブジェクトＡ，ＢのＢＢｏｘ（バウンダリーボックス）から重複部となるオブジェクトＣのＢＢｏｘを求め、これをオブジェクトＣのクリップ情報とし、オブジェクトＡ，Ｂのストローク情報をオブジェクトＣのストローク情報とする。また、色合成部１４−６による色合成処理によりオブジェクトＣの色情報を求める。
したがって、これら求められたクリップ情報、ストローク情報、及び色情報に基づいて特定されるオブジェクトを新規のベクターオブジェクトＣとして新規オブジェクト管理テーブルに登録する。
【００４９】
図８は、本第一実施形態に係る画像形成装置におけるベクターオブジェクトＤと、イメージオブジェクトＥの重なり処理に関する概念図である。
図８おいて、オブジェクトＤ，ＥのＢＢｏｘから重複部となるオブジェクトＦのＢＢｏｘを求め、これをオブジェクトＦのクリップ情報とする。また、色合成部１４−６による色合成処理によりオブジェクトＦのイメージ情報を求める。
したがって、これら求められたクリップ情報、及びイメージ情報により特定されるオブジェクトを新規オブジェクトＦとして新規オブジェクト管理テーブルに登録する。
【００５０】
このように、本第一実施形態に係る画像形成装置によれば、テーブル記憶部１４−７のオブジェクト管理テーブル内に各種のオブジェクトが登録された後に、このオブジェクト情報に基づいてＰＤＬ変換部１４−８ａは各種ＰＤＬデータへ変換し、これをＲＩＰ処理部１４−８ｂがビットマップ（ラスタイメージ）からなる出力画像にラスタライズ（展開）することにより、エンジン制御部１４−９の制御に基づき印刷機構部１６は印字処理を実行する。
【００５１】
以上のように、本第一実施形態に係る画像形成装置によれば、重なり判断部１４−４が、データ解析部１４−３により解析された二以上のオブジェクトの描画範囲に重複部があるか否かを判断するため、重複部があると判断された場合には、オブジェクト切り分け部１４−５は、重複部と、解析されたオブジェクトから重複部を差し引いた非重複部とを切り分けることができる。
したがって、色合成部１４−６は、重複部として切り分けられた範囲についてのみ色合成した色合成オブジェクトを生成することができ、画像生成部１４−８は、非重複部のオブジェクトと、色合成オブジェクトとに基づいて出力画像を生成することができる。
【００５２】
すなわち、本発明によれば、色合成処理を行う対象がオブジェクトの重複部に限られているため、従来のように、すべての画像データを一旦ドットイメージデータに変換する必要がないため、画像データサイズを最小限に抑えることができ、装置内のメモリの空き容量を確保することができるとともに、高速な印刷処理の実現を可能としている。また、オブジェクトの重複部においては色合成処理を施しているため、精密な出力結果を得ることができる。
【００５３】
［第二実施形態］
次に、本発明の第二実施形態に係る画像形成装置について、図９を参照して説明する。
同図は、本第二実施形態の画像形成装置における制御手段の構成図である。
本第二実施形態は、制御手段１４内に新たな構成として複合オブジェクト作成部（複合オブジェクト作成手段）１４−１０を設けた点で上記第一実施形態と異なる。すなわち、本第二実施形態では、複合オブジェクト作成部１４−１０は、オブジェクト切り分け部１４−５により切り分けられた重複部におけるオブジェクトにテキストオブジェクトが含まれるか否かを判断し、含まれると判断した場合には重複部におけるオブジェクトに基づいて複数のオブジェクト情報を保持する複合オブジェクトを作成する。
【００５４】
したがって、本第二実施形態では、テーブル記憶部１４−７のオブジェクト管理テーブルには、色合成オブジェクトとして登録されていたオブジェクトとは異なり、複合オブジェクト作成部１４−１０により作成された複合オブジェクトが登録される。よって、画像生成部１４−８は、複合オブジェクトに基づいて出力画像生成する。
【００５５】
次に、本第二実施形態に係る画像形成装置において各オブジェクトの描画範囲の重複部と非重複部との切り分け処理動作について、図１２を参照して説明する。
図１０は、本第二実施形態に係る画像形成装置の動作を示したフローチャートである。
この本第二実施形態に係る画像形成装置の切り分け処理が、上記第一実施形態に係る画像形成装置の切り分け処理と異なる点は、ステップＳ１０４と、ステップＳ１１３，ステップＳ１１４の処理を設けた点にあり、他のステップは上記第一実施形態で説明したステップと共通するため、その説明は省略する。
【００５６】
上記第一実施形態のステップＳ３０３と共通するステップＳ１０３の処理により重複部Ｂが切り分けられると、その切り分けられた重複部Ｂにおける二以上のオブジェクトにテキストオブジェクトが含まれているか否かを判断する（ステップＳ１０４）。
ステップＳ１０４の判断の結果、テキストオブジェクトが含まれてなければ、ステップＳ１０５以降の処理を実行するため、上記第一実施形態と同様の処理を行う。
【００５７】
一方、ステップＳ１０４の判断の結果、テキストオブジェクトが含まれていれば、複合オブジェクト作成部１４−１０は、重複部における二以上のオブジェクトを所定のオブジェクトに分類して、これらの分類された複数のオブジェクトを保持する複合オブジェクトＢ’を作成する（ステップＳ１１３）。
次いで、制御手段１４は、テーブル記憶部１４−７内の新規オブジェクト管理テーブルＴＢ［２］へ、ステップＳ１１３で作成された複合オブジェクトＢ’と、非重複部オブジェクトＤとを登録する（ステップＳ１１４）。
そして、上記第一実施形態のステップＳ３０６と共通するステップＳ１０７以降の処理を実行する。
【００５８】
以上の処理により、テーブル記憶部１４−７には、画像形成装置１０に入力された各オブジェクトの重複部、および非重複部を切り分けた複数のオブジェクトからなるオブジェクト管理テーブルを記憶させることができる。
【００５９】
次に、テキストオブジェクトを含むオブジェクトの種別に応じて、オブジェクト切り分け部１４−５，色合成部１４−６，及び複合オブジェクト作成部１４−１０により生成される重複部のオブジェクト情報（複合オブジェクト）について、より詳細に説明する。
図１１は、本第二実施形態に係る画像形成装置におけるベクターオブジェクトＧと、テキストオブジェクトＨの重なり処理に関する概念図である。
図１１において、オブジェクトＧ，ＨのＢＢｏｘから重複部となるオブジェクトＩのＢＢｏｘを求め、これをオブジェクトＩのクリップ情報とする。また、色合成部１４−６は、オブジェクトＩのＢＢｏｘ内の背景色情報をもつベクターオブジェクトＩ−１を生成するとともに、オブジェクトＩのＢＢｏｘ内のテキスト文字Ａがかかる部分は色合成処理を行い、テキスト文字Ａのｃｈａｒｐａｔｈ（文字の輪郭を描くための情報）をクリップ情報とするベクターオブジェクトＩ―２を生成する。そして、これらベクターオブジェクトＩ―１，Ｉ―２を保持することのできる複合オブジェクトＩに登録する。
すなわち、この複合オブジェクトは、各オブジェクト間でテキストオブジェクトとの重なりが生じた場合に生成されるオブジェクトであり、オブジェクト情報としてベクターオブジェクト，イメージオブジェクト，テキストオブジェクトを含ませることができる（図２（Ｄ）参照）。
【００６０】
図１２は、本第二実施形態に係る画像形成装置におけるイメージオブジェクトＪと、テキストオブジェクトＫの重なり処理に関する概念図である。
図１２において、オブジェクトＪ，ＫのＢＢｏｘから重複部となるオブジェクトＬのＢＢｏｘを求め、これをオブジェクトＬのクリップ情報とする。
また、色合成部１４−６は、オブジェクトＬのＢＢｏｘ内の背景色情報をもつイメージオブジェクトＬ−１を生成するとともに、オブジェクトＬのＢＢｏｘ内のテキスト文字Ａがかかる部分は色合成処理によりイメージ情報を求め、テキスト文字Ａのｃｈａｒｐａｔｈをクリップ情報とするイメージオブジェクトＬ―２を生成する。そして、これらイメージオブジェクトＬ―１，Ｌ―２を保持することのできる複合オブジェクトＬに登録する。
【００６１】
図１３は、本第二実施形態に係る画像形成装置におけるテキストオブジェクトＭと、テキストオブジェクトＮの重なり処理に関する概念図である。
図１３において、オブジェクトＭ，ＮのＢＢｏｘから重複部となるオブジェクトＯのＢＢｏｘを求め、これをオブジェクトＯのクリップ情報とする。
オブジェクトＯのＢＢｏｘ内に最初に描画されるテキスト文字ＡをテキストオブジェクトＯ−１とし、次に描画されるテキスト文字Ｂの色情報を持ち、テキスト文字Ｂのｃｈａｒｐａｔｈをクリップ情報とするベクターオブジェクトＯ−２とし、さらにオブジェクトＯのＢＢｏｘ内にてテキスト文字Ａ及びＢが重なる部分の色情報を色合成により求め、テキスト文字Ｂのｃｈａｒｐａｔｈを繰りプログラム情報とするテキスト文字ＡのテキストオブジェクトＯ−３を生成する。そして、これらテキストオブジェクトＯ−１，Ｏ−３，及びベクターオブジェクトＯ−２を保持することのできる複合オブジェクトＯに登録する。
【００６２】
このように、本第二実施形態に係る画像形成装置によれば、オブジェクト切り分け部１４−５により重複部として切り分けられたオブジェクトにテキストオブジェクトが含まれていた場合であっても、複合オブジェクト作成部１４−１０が、入力された画像データにおける各オブジェクトの重複部におけるオブジェクト情報を複合オブジェクトにより保持することができるため、透明度の含まれるオブジェクトに基づく印字をする際に、イメージ画像に変換することなく、オブジェクト情報をそのまま利用して処理することができる。このため、高速な印刷処理が実現できるとともに、精密な出力結果を得ることができる。
【００６３】
以上、本発明の画像形成装置について、好ましい実施形態を示して説明したが、本発明に係る画像形成装置は、上述した実施形態にのみ限定されるものではなく、本発明の範囲で種々の変更実施が可能であることは言うまでもない。
【００６４】
また、上記第一及び第二実施形態に係る画像形成装置は、制御プログラムに制御される画像形成装置により実行することができる。画像形成装置の制御プログラムは、例えば、記録媒体により提供される。記録媒体としては、例えば、磁気ディスク、光ディスク、半導体メモリ、その他画像形成装置で読み取り可能な任意の手段を使用することができる。
また、記録媒体に記録された画像形成装置の制御プログラムは、記録媒体を直接画像形成装置に装着して当該画像形成装置に読み込ませることができ、また、通信回線を介して画像形成装置に読み込ませるようにしても良い。
【産業上の利用可能性】
【００６５】
透明度を含む画像データに基づく印字処理を行う複合機やネットワークプリンタなどに好適に利用することができる。
【図面の簡単な説明】
【００６６】
【図１】本発明の第一実施形態に係る画像形成装置の全体構成図である。
【図２】本発明の第一実施形態に係る画像形成装置のデータ解析部により解析され得る各種オブジェクトの情報内容である。
【図３】本発明の第一実施形態に係る画像形成装置の動作を示したフローチャートである。
【図４】本発明の第一実施形態に係る画像形成装置における新規オブジェクトとオブジェクト管理テーブルの対比を図式化したものである。
【図５】本発明の第一実施形態に係る画像形成装置におけるオブジェクトの切り分けを図式化したものである。
【図６】本発明の第一実施形態に係る画像形成装置においてオブジェクトＣが存在しない場合の各オブジェクト描画範囲を図示したものである。
【図７】本発明の第一実施形態に係る画像形成装置におけるベクターオブジェクトＡと、ベクターオブジェクトＢとの重なり処理に関する概念図である。
【図８】本発明の第一実施形態に係る画像形成装置におけるベクターオブジェクトＤと、イメージオブジェクトＥの重なり処理に関する概念図である。
【図９】本発明の第二実施形態の画像形成装置における制御手段の構成図である。
【図１０】本発明の第二実施形態に係る画像形成装置の動作を示したフローチャートである。
【図１１】本発明の第二実施形態に係る画像形成装置におけるベクターオブジェクトＧと、テキストオブジェクトＨの重なり処理に関する概念図である。
【図１２】本発明の第二実施形態に係る画像形成装置におけるイメージオブジェクトＪと、テキストオブジェクトＫの重なり処理に関する概念図である。
【図１３】本発明の第二実施形態に係る画像形成装置におけるテキストオブジェクトＭと、テキストオブジェクトＮの重なり処理に関する概念図である。
【図１４】従来の画像形成装置における複数オブジェクトの重なり処理に関する概念図である。
【符号の説明】
【００６７】
１０  画像形成装置
１１  画像読取手段
１２  入力手段
１３  表示手段
１４  制御手段
１４−１  入力制御部
１４−２  表示制御部
１４−３  データ解析部（解析手段）
１４−４  重なり判断部（重なり判断手段）
１４−４ａ  非重なリ判断部（非重なり判断手段）
１４−５  オブジェクト切り分け部（切り分け手段）
１４−６  色合成部（色合成手段）
１４−７  テーブル記憶部（テーブル記憶手段）
１４−８  画像生成部（画像生成手段）
１４−８ａ  ＰＤＬ生成部
１４−８ｂ  ＲＩＰ処理部
１４−９  エンジン制御部
１４−１０  複合オブジェクト作成部
１５  ＨＤＤ
１６  印刷機構部
【図１】
2005324425.tif 000003
【図２】
2005324425.tif 000004
【図３】
2005324425.tif 000005
【図４】
2005324425.tif 000006
【図５】
2005324425.tif 000007
【図６】
2005324425.tif 000008
【図９】
2005324425.tif 000009
【図１０】
2005324425.tif 000010
【図７】
2005324425.tif 000011
【図８】
2005324425.tif 000012
【図１１】
2005324425.tif 000013
【図１２】
2005324425.tif 000014
【図１３】
2005324425.tif 000015
【図１４】
2005324425.tif 000016